Podtech/llm-jp-corpus-v4-ja_patent huggingface dataset:
【手続補正書】
【提出日】平成28年8月2日(2016.8.2)
【手続補正１】
【補正対象書類名】特許請求の範囲
【補正対象項目名】全文
【補正方法】変更
【補正の内容】
【特許請求の範囲】
【請求項１】
Ｂ型骨ゼラチンの酵素的加水分解により生成されるコラーゲン加水分解物であって、ここで前記コラーゲン加水分解物が、少なくとも５０重量％の、１，５００Ｄａ〜１３，５００Ｄａの分子量を有し、そして４，５００〜６，０００の範囲の平均分子量を有するペプチドから形成される、コラーゲン加水分解物。
【請求項２】
前記骨ゼラチンが、脊椎動物の骨由来のコラーゲンのアルカリ分解によって生成される、請求項１に記載のコラーゲン加水分解物。
【請求項３】
前記骨ゼラチンが５．５未満の等電点を有する、請求項１又は２に記載のコラーゲン加水分解物。
【請求項４】
前記ペプチドが、１５％未満のグルタミン残基及び／又はグルタミン酸残基、及びアスパラギン残基及び／又はアスパラギン酸残基の全体のアミド化レベルを有する、請求項１〜３のいずれか１項に記載のコラーゲン加水分解物。
【請求項５】
前記コラーゲン加水分解物の２０重量％の水溶液が、２５℃で、５ｍＰａ．ｓ超の粘度を有する、請求項１〜４のいずれか１項に記載のコラーゲン加水分解物。
【請求項６】
前記コラーゲン加水分解物が、３００ｐｐｍ未満のアンモニウム、硫黄及びリン酸塩含量をそれぞれ有する、請求項１〜５のいずれか１項に記載のコラーゲン加水分解物。
【請求項７】
前記コラーゲン加水分解物が、枯草菌（Ｂａｃｉｌｌｕｓ ｓｕｂｔｉｌｉｓ）由来の中性エンドプロテアーゼで前記ゼラチンを加水分解することにより生成される、請求項１〜６のいずれか１項に記載のコラーゲン加水分解物。
【請求項８】
前記コラーゲン加水分解物が、４０℃〜６０℃の温度で、２０分間〜４０分間、前記エンドプロテアーゼの作用を介して生成される、請求項７に記載のコラーゲン加水分解物。
【請求項９】
骨の健康を維持し及び／又は改善するための活性成分としての請求項１〜８のいずれか１項に記載のコラーゲン加水分解物。
【請求項１０】
閉経後骨粗鬆症を予防し及び／又は処置するための活性成分としての請求項１〜８のいずれか１項に記載のコラーゲン加水分解物。
【請求項１１】
前記コラーゲン加水分解物が、栄養サプリメントとして処方される、請求項９又は１０に記載のコラーゲン加水分解物。
【請求項１２】
１ｇ〜１５ｇの前記コラーゲン加水分解物の１日の経口摂取を提供する、請求項１１に記載のコラーゲン加水分解物。
【請求項１３】
請求項１〜１２のいずれか１項に記載のコラーゲン加水分解物及び１つ以上のプレバイオティクスを含む栄養サプリメント。
【請求項１４】
前記プレバイオティクスが、オリゴ糖及び／又は多糖類から選択される、請求項１３に記載の栄養サプリメント。
【請求項１５】
クエン酸カルシウム、乳酸カルシウム、グルコン酸カルシウム、グルコン酸乳酸カルシウム、ラクトビオン酸カルシウム及びそれらの混合物から選択される１つ以上の可溶性カルシウム塩をさらに含む、請求項１３又は１４に記載の栄養サプリメント。
【請求項１６】
ビタミンＣ、ビタミンＤ、ビタミンＤ3、ビタミンＥ、ビタミンＫ及びそれらの代謝物から選択される１つ以上のビタミンをさらに含む、請求項１３〜１５のいずれか１項に記載の栄養サプリメント。
【請求項１７】
フッ化塩、カリウム塩及びマグネシウム塩から選択される１つ以上のミネラルをさらに含む、請求項１３〜１６のいずれか１項に記載の栄養サプリメント。
【請求項１８】
請求項１〜１２のいずれか１項に記載のコラーゲン加水分解物を生成するための方法であって、以下のステップ：
５重量％〜２０重量％の濃度でＢ型骨ゼラチンの水溶液を生成し、
ゼラチンの量に対して、１重量％〜４重量％の量で枯草菌（Ｂａｃｉｌｌｕｓ ｓｕｂｔｉｌｉｓ）由来の中性エンドプロテアーゼを添加し、
４０℃〜６０℃の温度で、そして５．５〜６．５のｐＨ値で、２０分間から４０分間、ゼラチンにエンドプロテアーゼを作用させ、そして
エンドプロテアーゼを熱不活性化する
ことを含む、方法。
【手続補正書】
【提出日】平成28年4月28日(2016.4.28)
【手続補正１】
【補正対象書類名】特許請求の範囲
【補正対象項目名】全文
【補正方法】変更
【補正の内容】
【特許請求の範囲】
【請求項１】
監視ビデオカメラ（２）のケース（１）であって、
互いに接続可能で少なくとも１個のビデオカメラ（２）の収容体積を画定する第１（３）及び第２（４）の半殻であって、前記第１（３）及び第２（４）の半殻は、前記ビデオカメラ（２）の前方に配置されるようになっている透明パネル（５）を備える、第１（３）及び第２（４）の半殻と、
空気流生成手段（７）及び空気流を加熱する手段（６）と、
前記空気流を前記透明パネル（５）に向けて導くダクト（８）と、
前記ビデオカメラ（２）の保持デバイス（９）と
を備え、
前記保持デバイス（９）は、好ましくは樹脂材料である断熱材料からなる、前記ダクト（８）の少なくとも一部の周壁を画定することを特徴とする、監視ビデオカメラ（２）のケース（１）。
【請求項２】
前記保持デバイス（９）は、互いに接続可能であって、接続状態で以下のいずれかを画定する第１（９１）及び第２（９２）の本体部を備える、請求項１に記載のケース（１）、
−前記ビデオカメラ（２）を制御するための電子ユニット（１０）の第１のハウジング（９３）、
−前記空気流生成手段（７）の第２のハウジング（９４）、
−樹脂材料からなる周壁により画定される前記伝送ダクト（８）の前記部分。
【請求項３】
前記保持デバイス（９）は、前記流れを加熱する前記手段（６）を固定するための座部（９５）を備え、前記座部は、前記伝送ダクト（８）の前記周壁に近い前記第１の本体部（９１）上に設けられている、請求項２に記載のケース（１）。
【請求項４】
前記伝送ダクト（８）は前記空気流生成手段（７）のハウジング（９４）に臨む第１の開口と、前記透明パネル（５）に近接する第２の拡大された開口（８１）とを有する、請求項１から３のいずれか１項に記載のケース（１）。
【請求項５】
前記伝送ダクト（８）の前記第２の拡大された開口（８１）は、前記透明パネル（５）に均一に前記空気流を供給するための、前記伝送ダクトの内側の拡散フラップ（８２）を備える、請求項４に記載のケース（１）。
【請求項６】
前記第２の本体部（９１）は、前記第２の拡大された開口（８１）に、前記透明パネル（５）に対して傾斜した拡散フラップ（８３）を備える、請求項４又は請求項５に記載のケース（１）。
【請求項７】
前記保持デバイス（９）は、前記ビデオカメラ（２）の位置決め手段（１１）に調節可能に接続される少なくとも１個の溝孔（９７）を備える、前記ビデオカメラ（２）を固定するためのプレート（９６）を備える、請求項１から６のいずれか１項に記載のケース（１）。
【請求項８】
前記固定プレート（９６）は金属製であり、前記空気流を加熱する前記手段（６）に接触して配置される、請求項７に記載のケース（１）。
【請求項９】
保護ケース（１）中で使用されるビデオカメラ（２）の保持デバイス（９）であって、
本体であって、前記本体に対して異なる相対位置でビデオカメラを保持するための連結手段を備える本体と、
空気流生成手段（７）と、
前記空気流生成手段に対する給電及び／又は制御のための少なくとも１個の電気回路と
を備え、
前保持記デバイスの前記本体は、前記空気流生成手段のためのハウジング（９４）と、前記電気回路のためのハウジングとを備え、
前記本体は、互いに接続可能な第１の部分（９１）と第２の部分（９２）とを備え、
前記第１及び第２の本体部はいったん接続されると、空気流のための伝送ダクト（８）の少なくとも１部を画定するようになっており、前記ダクトは、好ましくは樹脂材料である断熱材料からなる周壁により画定され、
前記第１の端部は、前記空気流生成手段（７）のための前記ハウジング（９４）で開口し、
前記第２の端部は、前記本体自体の前記ハウジング（９４）とは反対側の前記本体の端部に臨み、
加熱手段（６）と、前記加熱手段（６）を固定するための座部（９５）とをさらに備え、前記座部（９５）は、前記伝送ダクト（８）の前記周壁の一部で、前記第１の本体部（９１）に設けられている、保護ケース（１）中で使用されるビデオカメラ（２）の保持デバイス（９）。
【請求項１０】
ビデオカメラ（２）の位置決め手段（１１）を受け入れるようになっている溝孔（９７）を備える金属製の固定プレートを備え、前記空気流生成手段（７）によって生成された空気流が、前記加熱手段を通過して流れて前記固定プレートと接触するように、前記固定プレートは、前記加熱手段（６）に対し、少なくとも部分的に搭載され、あるいは接触している、請求項９に記載の保持デバイス（９）。
【手続補正書】
【提出日】平成28年8月30日(2016.8.30)
【手続補正１】
【補正対象書類名】特許請求の範囲
【補正対象項目名】全文
【補正方法】変更
【補正の内容】
【特許請求の範囲】
【請求項１】
第２輝度ダイナミックレンジに対する輝度を有する第２画像から第１輝度ダイナミックレンジに対する輝度を有する第１画像を導出するように用意される画像変換装置であって、第１及び第２輝度ダイナミックレンジのうち一方は、他方の少なくとも２倍の大きさであり、前記導出は、少なくとも１つの予め定められたマッピング・アルゴリズムを適用することによる第１画像のピクセルの輝度への第２画像中のピクセルの輝度のトーン・マッピングを有し、前記画像変換装置は、
第２画像を有するデータ供給システムに対する入力、
前記少なくとも１つの予め定められたマッピング・アルゴリズム・データを受信するための保護データ入力、及び
ネットワークを介したサーバの制御の下で前記予め定められたマッピング・アルゴリズム・データへのアクセスを管理するように用意される制御ユニット、
を有する、画像変換装置。
【請求項２】
前記制御ユニットが、第１画像のディスプレイ上でのレンダリングの時間の前の予め定められた時間インターバルにおいて前記データ保護入力を介して前記少なくとも１つの予め定められたマッピング・アルゴリズム・データを取得するように用意される、請求項１に記載の画像変換装置。
【請求項３】
前記予め定められた時間インターバルは数秒である、請求項２に記載の画像変換装置。
【請求項４】
前記制御ユニットが、少なくとも第２画像の特徴を識別するコンテンツ識別データを前記サーバに送信するように用意される、請求項１から請求項３のいずれか一項に記載の画像変換装置。
【請求項５】
前記制御ユニットが、前記画像変換装置又はHDRディスプレイの識別データを前記サーバに送信するように更に用意される、請求項４に記載の画像変換装置。
【請求項６】
前記制御ユニットが、暗号化された態様でメモリに前記少なくとも１つの予め定められたマッピング・アルゴリズム・データを記憶するように用意される、請求項１から請求項５のいずれか一項に記載の画像変換装置。
【請求項７】
前記制御ユニットが、第１画像のユーザから特徴情報を取得するように用意される、請求項１から請求項６のいずれか一項に記載の画像変換装置。
【請求項８】
前記特徴情報は、少なくとも個人コードまたは生体データを含む、請求項７に記載の画像変換装置。
【請求項９】
予め定められたマッピング・アルゴリズム・データを供給するサーバであって、当該サーバは、請求項１から請求項８のいずれか一項に記載の画像変換装置から開かれたデータ接続を受信し、第２画像が認証されたかをテストする、前記画像変換装置から送信されたコンテンツ識別データに基づくテストを実行し、それに基づいて、前記画像変換装置に前記予め定められたマッピング・アルゴリズム・データを供給するように用意される、サーバ。
【請求項１０】
特に、前記画像変換装置が認証された装置であるかどうかについての更なるテストを実行するように用意される、請求項９に記載の、予め定められたマッピング・アルゴリズム・データを供給するサーバ。
【請求項１１】
前記予め定められたマッピング・アルゴリズム・データの部分的情報の前記画像変換装置との通信を維持するように用意される、請求項９または請求項１０に記載の、予め定められたマッピング・アルゴリズム・データを供給するサーバ。
【請求項１２】
第２画像、画像変換装置、第１画像をレンダリングするための接続されたHDRディスプレイ、前記HDRディスプレイの周囲の光学特性、および、前記画像変換装置のユーザの少なくとも１つの態様に関する情報を前記画像変換装置から受信し、それから、もしあれば、どの予め定められたマッピング・アルゴリズム・データを前記画像変換装置に送信すべきかを決定するように用意される、請求項９または請求項１１に記載の、予め定められたマッピング・アルゴリズム・データを供給するサーバ。
【請求項１３】
第２輝度ダイナミックレンジに対する輝度の第２画像から第１輝度ダイナミックレンジに対する輝度の第１画像を導出する方法であって、第１及び第２輝度ダイナミックレンジのうち一方は、他方の少なくとも２倍の大きさであり、前記導出は、少なくとも１つの予め定められたマッピング・アルゴリズムを適用することによる第１画像のピクセルの輝度への第２画像中のピクセルの輝度のトーン・マッピングを有し、当該方法は、
第２画像をデータ供給システムから取得し、
ネットワークを介したサーバの制御の下で保護データ入力を介して取得される前記予め定められたマッピング・アルゴリズム・データへのアクセスを管理する、方法。
【請求項１４】
第１画像のディスプレイ上でのレンダリングの時間の前の予め定められた時間インターバルにおいてサーバへのネットワーク上の専用のセキュアな接続を行う、請求項１３に記載の、第１画像を導出する方法。
【請求項１５】
第１画像をレンダリングする場所における制御ユニットが、前記サーバに第２画像を識別するコンテンツ識別データを送信する、請求項１４に記載の、第１画像を導出する方法。
【請求項１６】
第２画像中のコンテンツのオーナーの制御の下で予め定められたマッピング・アルゴリズム・データへのアクセスを管理するように用意される制御ユニットを有する画像変換装置に接続可能な予め定められたマッピング・アルゴリズム・データのソースにより、第２輝度ダイナミックレンジのディスプレイ上でのレンダリングのためにグレーディングされた第２画像を、第２輝度ダイナミックレンジのディスプレイ上でのレンダリングのためにグレーディングされた第１画像へと変換するための予め定められたマッピング・アルゴリズム・データを供給する方法であって、前記ソースにより実行される当該方法は、前記画像変換装置が許可された第２画像を使用しているかをテストし、肯定的な確認の下に、前記予め定められたマッピング・アルゴリズム・データを前記画像変換装置に送信する、方法。
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
出血制御のトレーニングのための出血制御創傷シミュレーターであって、前記創傷シミュレーターは、
擬似的な創傷部位における圧力センサーを含み、前記圧力センサーは、（ａ）前記圧力センサーからの圧縮力をモニタリングし、（ｂ）前記圧縮力と標的の力を比較し、かつ（ｃ）前記比較に基いて前記標的の力からのずれ、又はこれへの接近を示すように構成された、１つ以上のサブルーチンを含む、コンピュータソフトウェアアプリケーションと電子通信するように構成される、出血制御創傷シミュレーター。
【請求項２】
前記創傷シミュレーターは、部分的な身体モデルまたはマネキンである、請求項１に記載の出血制御創傷シミュレーター。
【請求項３】
前記創傷シミュレーターは、前記コンピュータソフトウェアアプリケーションを含む、請求項１に記載の出血制御創傷シミュレーター。
【請求項４】
出血制御創傷シミュレーターをモニタリングするためのモバイル装置であって、前記モバイル装置は、
データポートと、
モニタリングモジュールと、
装置出力とを含み、
前記モバイル装置は、前記データポートを介して前記出血制御創傷シミュレーターと電子通信するように構成され、
前記データポートは、擬似的な創傷部位における圧力センサーから圧力データを受信するように構成され、
前記モニタリングモジュールは、前記データポートを介して受信された前記圧力データをモニタリングするとともに、前記圧力データが、標的圧力からずれたときに、前記装置出力を介して指標を提示するように構成される、モバイル装置。
【請求項５】
前記データポートは、目的変更したオーディオジャックである、請求項４に記載のモバイル装置。
【請求項６】
前記装置出力は、ディスプレイ、スピーカー、又は振動装置の少なくとも１つを含む、請求項４に記載のモバイル装置。
【請求項７】
前記指標は、物理的合図、聴覚的合図、又は視覚的合図の少なくとも１つを含む、請求項４に記載のモバイル装置。
【請求項８】
前記モバイル装置は、圧力モニタリングアプリケーションを含むスマートフォン又はタブレットである、請求項４に記載のモバイル装置。
【請求項９】
コンピュータが実行可能な命令を記憶する非一時的コンピュータ可読媒体であって、１つ以上のプロセッサによって実行されると、前記１つ以上のプロセッサに、
擬似的な創傷部位における圧力センサーから圧縮力信号を受信し、
前記圧縮力を標的の力と比較し、
前記比較に少なくとも部分的に基づき、前記標的の力からのずれ、又はこれへの接近を示す
ことを行わせる、出血制御創傷シミュレーターのための、コンピュータが実行可能な命令を記憶する非一時的コンピュータ可読媒体。
【請求項１０】
前記1つ以上のプロセッサは、
前記圧縮力が適用される圧縮時間を追跡し、
前記圧縮時間と標的時間との比較に基いて、前記標的時間からのずれを示すように更に構成されている、請求項９に記載のコンピュータが実行可能な命令を記憶する非一時的コンピュータ可読媒体。
【請求項１１】
前記1つ以上のプロセッサは、ディスプレイに前記ずれの指標を提示させるように更に構成されている、請求項９に記載のコンピュータが実行可能な命令を記憶する非一時的コンピュータ可読媒体。
【請求項１２】
装置出力は、ディスプレイ、スピーカー、又は振動装置の少なくとも１つを含む、請求項１１に記載のコンピュータが実行可能な命令を記憶する非一時的コンピュータ可読媒体。
【請求項１３】
前記指標は、物理的合図、聴覚的合図、又は視覚的合図の少なくとも１つを含む、請求項１１に記載のコンピュータが実行可能な命令を記憶する非一時的コンピュータ可読媒体。
【請求項１４】
コンピュータが実行可能な命令を記憶する前記非一時的コンピュータ可読媒体は、モバイル装置内に配置される、請求項９に記載のコンピュータが実行可能な命令を記憶する非一時的コンピュータ可読媒体。
【請求項１５】
コンピュータが実行可能な命令を記憶する前記非一時的コンピュータ可読媒体は、創傷シミュレーター内に配置される、請求項９に記載のコンピュータが実行可能な命令を記憶する非一時的コンピュータ可読媒体。
【請求項１６】
請求項１に記載の前記創傷シミュレーターと請求項４に記載の前記モバイル装置とを含む、出血制御のトレーニングシステム。
【請求項１７】
請求項９に記載のコンピュータが実行可能な命令を記憶する前記非一時的コンピュータ可読媒体をさらに含む、請求項１６に記載の出血制御のトレーニングシステム。
【請求項１８】
ユーザに出血制御のトレーニングを行う方法であって、前記方法は、
標的の力を指定する、創傷シミュレーションデータを受信する工程と、
圧力センサーからの圧縮力を含む圧力データを、コンピューティング装置に受信する工程と、
前記圧縮力を前記標的の力と比較する工程と、
前記比較に基いて前記標的の力からのずれを、前記コンピューティング装置上に示す工程とを含む、方法。
【請求項１９】
前記ずれは、物理的合図、聴覚的合図、又は視覚的合図の少なくとも１つにより示される、請求項１８に記載の方法。
【請求項２０】
前記コンピューティング装置は、圧力モニタリングアプリケーションを含む、スマートフォンを含む、請求項１８に記載の方法。
【請求項２１】
前記圧縮力が適用される圧縮時間を追跡する工程と、
前記圧縮時間と標的時間との比較に基いて、前記標的時間からのずれを示す工程とを更に含む、請求項１８に記載の方法。
【手続補正書】
【提出日】平成28年10月24日(2016.10.24)
【手続補正１】
【補正対象書類名】特許請求の範囲
【補正対象項目名】全文
【補正方法】変更
【補正の内容】
【特許請求の範囲】
【請求項１】
試料の位相コントラスト撮像のためのシステムであって、
試料を照明するための光源であって、第１のビームスプリッタが前記光源から少なくとも第１の光ビーム及び第２の光ビームを生成し、第１の光素子が、前記試料により回折されない第１の光ビームからの光を集光するように構成され、第２の光素子が、前記試料により回折される第２の光ビームからの光と、前記試料により回折されない第２の光ビームからの光とを集光するように構成される、光源と、
連続位相遅れを生成するために使用される複数の装置であって、前記第１の光ビームが、前記連続位相遅れを生成するために使用される前記複数の装置を通過することにより複数の位相遅れに分割されるように構成される前記複数の装置と、
前記試料からの光及び非回折基準ビームを集光する第２のビームスプリッタと、
前記連続位相遅れを生成するために使用される前記複数の装置を通過した後の第１の光ビームからの光を集光するとともに、前記試料を通過した後の第２の光ビームからの光を集光する検出器と、
前記複数の装置と前記検出器とを同期させるように構成された同期装置であって、パルス発生器である同期装置と、
を備える、システム。
【請求項２】
前記複数の位相遅れは、０、π／２、π及び３π／２を含む、請求項１記載のシステム。
【請求項３】
前記システムが、１つ以上の細胞を含む試料の、標識を伴わない高コントラスト撮像のために構成される、請求項１又は請求項２に記載のシステム。
【請求項４】
前記システムが、数十ミリ秒の動的な生体プロセスの、標識を伴わない高コントラスト撮像のために構成される、請求項１又は請求項２記載のシステム。
【請求項５】
前記動的な生体プロセスが、心臓細胞収縮又は神経系モデル伸張である、請求項４記載のシステム。
【請求項６】
前記試料を照明するための前記光源が、１０μｍ未満のコヒーレンスの光ビームを生成する、請求項１乃至請求項５のいずれか１項記載のシステム。
【請求項７】
前記第１の光素子又は前記第２の光素子が顕微鏡の対物レンズを備える、請求項１乃至請求項６のいずれか１項記載のシステム。
【請求項８】
前記第１の光素子又は前記第２の光素子がチューブレンズを備える、請求項１乃至請求項７のいずれか１項記載のシステム。
【請求項９】
連続位相遅れを生成するために使用される前記複数の装置が、超高速シャッタ又は電気光学変調器を有する、請求項１乃至請求項８のいずれか１項記載のシステム。
【請求項１０】
前記検出器がカメラ又はセンサである、請求項１乃至請求項９のいずれか１項記載のシステム。
【請求項１１】
試料の定量位相撮像のための方法であって、
ａ）前記試料を照明するための光源を用意するステップであって、第１のビームスプリッタが、前記光源から、少なくとも第１の光ビーム及び第２の光ビームを生成し、第１の光素子が、前記試料により回折されない第１の光ビームからの光を集光するように構成され、第２の光素子が、前記試料により回折される第２の光ビームからの光と、前記試料により回折されない第２の光ビームからの光とを集光するように構成される、前記光源を用意するステップと、
ｂ）前記第１の光ビームに複数の装置を通過させることにより、前記第１の光ビームを複数の連続位相遅れに分割するステップと、
ｃ）前記複数の装置を通過した後の第１の光ビームからの光と、前記試料を通過した後の第２の光ビームからの光とを検出器により集光するステップと、
ｄ）定量位相撮像を生成するために、前記複数の装置と前記検出器とを電子的に同期するステップと、
を含む、方法。
【請求項１２】
前記複数の位相遅れが０、π／２、π及び３π／２である、請求項１１記載の方法。
【請求項１３】
前記試料が１つ以上の細胞を含み、前記定量位相画像が、標識を伴わない、試料の高コントラスト画像を含む、請求項１１又は請求項１２記載の方法。
【請求項１４】
前記複数の装置が、１つの超高速シャッタ又は少なくとも一つの電気光学変調器を有する、請求項１１乃至請求項１３のいずれか１項記載の方法。
【請求項１５】
前記検出器がカメラ又はセンサである、請求項１１乃至請求項１４のいずれか１項記載の方法。
【請求項１６】
前記定量位相画像に基づいて、標識を伴わずに細胞及び／又は核の自動セグメンテーションを実施するステップを含む、請求項１１乃至請求項１５のいずれか１項記載の方法。
【請求項１７】
前記連続位相遅れの略同時表示を行う、請求項１１乃至請求項１６のいずれか１項記載の方法。
【請求項１８】
数十ミリ秒の動的な生体プロセスの、標識を伴わない高コントラスト撮像が行われる、請求項１１乃至請求項１７のいずれか１項記載の方法。
【請求項１９】
前記試料が細胞単層を含み、
前記方法が、前記試料の前記定量位相画像の少なくとも一部に基づいて、前記試料に関する定量的な厚さ情報を生成するステップを含む、請求項１８記載の方法。
【請求項２０】
前記定量位相画像の少なくとも第一の部分における各位置の定量的な厚さ情報を生成するステップであって、前記定量位相画像の前記第一の部分の少なくとも一部に基づいて、前記定量的な厚さ情報を生成するステップを含む、請求項１１乃至請求項１９のいずれか１項記載の方法。
【手続補正書】
【提出日】平成27年10月28日(2015.10.28)
【手続補正１】
【補正対象書類名】特許請求の範囲
【補正対象項目名】請求項６
【補正方法】変更
【補正の内容】
【請求項６】
前記少なくとも１つの第２照明源（１０３、６０３）は、平面又は曲面として構成されること、
該少なくとも１つの第２照明源（１０３、６０３）は、前記照明光路に設けられる光学要素（１０２、１０５、６０２、６０５）の表面に設けられること
を特徴とする請求項１〜５の何れかに記載の照明装置。
【手続補正２】
【補正対象書類名】明細書
【補正対象項目名】００１６
【補正方法】変更
【補正の内容】
【００１６】
この課題は、請求項１の特徴を有する照明装置によって及びこのような装置を備えて構成される請求項１１の特徴を有する顕微鏡又はマクロスコープによって解決される。
即ち、上記の課題を解決するために、本発明の第１の視点により、光学装置又は顕微鏡又はマクロスコープのための照明装置が提供される。該照明装置においては、第１照明源から放射される光が、照明光路を介して、対象面に配置される照明されるべき対象に照射される。更に、該照明装置は、前記照明光路に配置可能に構成された少なくとも１つの第２照明源を備える。更に、該照明装置において、前記第２照明源は、透明ないし半透明であってかつ自己発光的に構成され、前記第１照明源から放射される光を少なくとも部分的に透過させる。更に、該照明装置において、前記照明されるべき対象を有する前記対象面は、前記第１照明源によっても前記第２照明源によっても照明される（形態１・第１基本構成）。
更に、上記の課題を解決するために、本発明の第２の視点により、本発明の照明装置を有する顕微鏡又はマクロスコープが提供される（形態１１・第２基本構成）。
【手続補正３】
【補正対象書類名】明細書
【補正対象項目名】００１８
【補正方法】変更
【補正の内容】
【００１８】
本発明の有利な実施形態は従属請求項の対象である。
（形態１）上記第１基本構成参照。
（形態２）上記の照明装置において、前記少なくとも１つの第２照明源は、自己発光層として構成されることが好ましい。
（形態３）上記の照明装置において、前記少なくとも１つの第２照明源は、エレクトロルミネセンス層として構成されることが好ましい。
（形態４）上記の照明装置において、前記少なくとも１つの第２照明源は、ＯＬＥＤ又はＴＯＬＥＤとして構成されることが好ましい。
（形態５）上記の照明装置において、前記少なくとも１つの第２照明源は、前記照明光路のアパーチャ面又は中間像面又は該アパーチャ面の近傍又は該中間像面の近傍に形成されることが好ましい。
（形態６）上記の照明装置において、前記少なくとも１つの第２照明源は、平面又は曲面として構成されること、
該少なくとも１つの第２照明源は、とりわけ前記照明光路に設けられる光学要素の表面に設けられることが好ましい。
（形態７）上記の照明装置において、前記第２照明源は、位置依存的照明補正を利用可能にするための個別に制御可能な複数の領域を備えて構成されることが好ましい。
（形態８）上記の照明装置において、前記少なくとも１つの自己発光層の前記個別に制御可能な複数の領域を個別に電気的に制御するための手段を備えることが好ましい。
（形態９）上記の照明装置において、前記第２照明源は、当該照明装置によって生成される色温度に適合するよう構成されることが好ましい。
（形態１０）上記の照明装置において、前記第２照明源は、当該照明装置によって生成される明るさ分布における不均一性を補償するよう構成されることが好ましい。
（形態１１）上記第２基本構成参照。
（形態１２）上記形態１１の顕微鏡又はマクロスコープは、少なくとも２つの部分顕微鏡を有する比較顕微鏡として構成されること、
少なくとも１つの部分顕微鏡又は全ての部分顕微鏡は、上記形態１〜１０の何れかの照明装置を備えて構成されることが好ましい。
【手続補正４】
【補正対象書類名】明細書
【補正対象項目名】００３５
【補正方法】変更
【補正の内容】
【００３５】
以下に、本発明の好ましい実施例を添付の図面を参照して詳細に説明する。なお、特許請求の範囲に付した図面参照符号は専ら発明の理解を助けるためのものであり、本発明を図示の態様に限定することを意図していない。
【手続補正５】
【補正対象書類名】図面
【補正対象項目名】図６
【補正方法】変更
【補正の内容】
【図６】
2015534133.tif 000001
【手続補正６】
【補正対象書類名】図面
【補正対象項目名】図７
【補正方法】変更
【補正の内容】
【図７】
2015534133.tif 000002
【手続補正７】
【補正対象書類名】図面
【補正対象項目名】図８
【補正方法】変更
【補正の内容】
【図８】
2015534133.tif 000003
【手続補正書】
【提出日】平成28年9月29日(2016.9.29)
【手続補正１】
【補正対象書類名】特許請求の範囲
【補正対象項目名】全文
【補正方法】変更
【補正の内容】
【特許請求の範囲】
【請求項１】
ニアアイディスプレイであって、
透過型電子ディスプレイと、
前記ニアアイディスプレイがユーザによって装着されたときに、前記透過型電子ディスプレイから発せられた光が、前記ユーザの人間の眼から２５０ｍｍ以上の距離を置いて生じるように前記ユーザに見える仮想画像を形成するように、第１の割合の入射光を回折し、第２の割合の入射光を回折しないように構成された回折マイクロレンズアレイと、
を備え、
ここにおいて、前記透過型電子ディスプレイと前記マイクロレンズアレイの間の距離は、およそ前記マイクロレンズアレイの焦点距離であり、
ここにおいて、前記回折マイクロレンズアレイは、体積ホログラムとして感光性樹脂膜に構築される、ニアアイディスプレイ。
【請求項２】
前記回折マイクロレンズアレイは、部分的に回折性でありかつ部分的に透明である、請求項１に記載の電子ディスプレイ。
【請求項３】
前記透過型電子ディスプレイは、複数の画素を含み、前記回折マイクロレンズアレイは、各画素から発せられた光の約５０パーセントが回折されて、無限遠にフォーカスされているときの前記人間の眼の網膜上にフォーカスするように、前記画素に相対的に位置付けられる、請求項１に記載の電子ディスプレイ。
【請求項４】
前記透過型電子ディスプレイは、複数の透明な部分を含み、前記回折マイクロレンズアレイは、実世界のシーンからの光が前記透過型ディスプレイの前記透明な部分を変化なく通過するように、前記透過型電子ディスプレイに相対的に位置付けられる、請求項１に記載の電子ディスプレイ。
【請求項５】
前記回折マイクロレンズアレイは、前記実世界のシーンからの前記光の約５０パーセントが、前記回折マイクロレンズアレイを通過して、前記人間の眼の網膜上に画像を形成するように、前記透過型電子ディスプレイに相対的に位置付けられる、請求項４に記載の電子ディスプレイ。
【請求項６】
前記回折マイクロレンズアレイは、前記実世界のシーンからの前記光の約５０パーセントが、無限遠にフォーカスされているときの前記人間の眼の前記網膜からフォーカスが外れて前記マイクロレンズアレイによって回折されるように、前記透過型電子ディスプレイに相対的に位置付けられる、請求項５に記載の電子ディスプレイ。
【請求項７】
前記回折マイクロレンズアレイは、ガラス基板上に構築される、請求項１に記載の電子ディスプレイ。
【請求項８】
前記回折マイクロレンズアレイおよび前記透過型電子ディスプレイは、光学レンズに構築される、請求項１に記載の電子ディスプレイ。
【請求項９】
前記透過型電子ディスプレイは、液晶ディスプレイである、請求項１に記載の電子ディスプレイ。
【請求項１０】
前記透過型電子ディスプレイは、有機発光ダイオードディスプレイである、請求項１に記載の電子ディスプレイ。
【請求項１１】
前記有機発光ダイオードディスプレイは、透明な有機発光ダイオードディスプレイである、請求項１０に記載の電子ディスプレイ。
【請求項１２】
前記透過型電子ディスプレイは、眼鏡に取り付けられる、請求項１に記載の電子ディスプレイ。
【請求項１３】
ニアアイディスプレイであって、
人間の眼の近くにコンピュータによって生成された画像を表示し、遠くのシーンを見ることを部分的に可能にするための手段と、
前記ニアアイディスプレイがユーザによって装着されたときに、前記コンピュータによって生成された画像からの光が、前記ユーザの前記人間の眼から２５０ｍｍ以上の距離を置いて生じるように前記ユーザに見える仮想画像を形成するように、前記コンピュータによって生成された画像からの第１の割合の光を回折し、前記コンピュータによって生成された画像からの第２の割合の光を回折しないための手段と、
を備え、
ここにおいて、前記コンピュータによって生成された画像からの第１の割合の光を回折し、前記コンピュータによって生成された画像からの第２の割合の光を回折しないための前記手段は、体積ホログラムとして感光性樹脂膜に構築される、ニアアイディスプレイ。
【請求項１４】
前記コンピュータによって生成された画像からの前記第１の割合の光を回折し、前記コンピュータによって生成された画像からの第２の割合の光を回折しないための手段は、前記コンピュータによって生成された画像からの光を部分的に回折するための手段と、前記遠くのシーンからの光を部分的に送信するための手段とを備える、請求項１３に記載のニアアイディスプレイ。
【請求項１５】
コンピュータによって生成された画像を表示するための手段は、複数の画素を生成するための手段を備え、
前記コンピュータによって生成された画像からの前記第１の割合の光を回折し、前記コンピュータによって生成された画像からの第２の割合の光を回折しないための手段は、無限遠にフォーカスされているときの前記人間の眼の網膜上にフォーカスするように、各画素から発せられた光の約５０パーセントを回折するための手段を備える、請求項１３に記載のニアアイディスプレイ。
【手続補正書】
【提出日】平成28年8月18日(2016.8.18)
【手続補正１】
【補正対象書類名】特許請求の範囲
【補正対象項目名】全文
【補正方法】変更
【補正の内容】
【特許請求の範囲】
【請求項１】
第１アイテム及び第２アイテムを記述するメタデータ内のディスクリプタにアクセスする段階を含む方法であって、
前記ディスクリプタ及びメタデータがメタデータモデルに対応するメタデータタイプを有し、該メタデータモデルが前記ディスクリプタを前記メタデータモデルの複数階層に編成し、前記ディスクリプタが前記第１アイテムの第１ディスクリプタ及び前記第２アイテムの第２ディスクリプタを含み、前記第１ディスクリプタ及び前記第２ディスクリプタが前記メタデータモデルの複数階層のうちの１つの階層に提示され、
前記方法が更に、
前記メタデータモデルにおいて前記第１ディスクリプタ及び前記第２ディスクリプタが内部に提示される前記階層に基づいて、前記第１ディスクリプタ及び前記第２ディスクリプタがディスクリプタのクラスタのメンバであると判定する段階を含み、
前記判定する段階がマシンのプロセッサによって実行され、
前記方法が更に、
前記第１ディスクリプタ及び前記第２ディスクリプタがメンバである前記ディスクリプタのクラスタに基づいてユーザプロファイルを生成する段階を含む、方法。
【請求項２】
前記メタデータモデルが、前記メタデータモデルの複数階層を含むディスクリプタの階層に前記ディスクリプタを編成する、請求項１に記載の方法。
【請求項３】
前記第１ディスクリプタ及び前記第２ディスクリプタが前記クラスタのメンバであると判定する前記段階が、前記第１ディスクリプタ及び前記第２ディスクリプタが互いに類似していると判定する段階を含む、請求項１に記載の方法。
【請求項４】
前記第１ディスクリプタ及び前記第２ディスクリプタが内部に提示される前記階層が、前記メタデータモデルの複数階層のうちの更なる階層の更なる重みを超える重みを有することを前記メタデータモデルが示しており、前記第１ディスクリプタ及び前記第２ディスクリプタが前記クラスタのメンバであると判定する前記段階が、前記階層の重みが前記更なる階層の更なる重みを超えることに基づいている、請求項１に記載の方法。
【請求項５】
前記メタデータモデルが、前記第１ディスクリプタ及び前記第２ディスクリプタが提示される前記階層の重みよりも最上位階層が低く重み付けされる複数階層の階層構造を含む、請求項４に記載の方法。
【請求項６】
前記第１アイテム及び前記第２アイテムをユーザの複数の場所及び前記ユーザのバイオメトリック状態と相関付けるコンテキストデータに基づいて、前記ユーザの行動を判定する段階を更に含み、前記ユーザプロファイルを生成する前記段階が、前記ユーザの複数の場所及びバイオメトリック状態に基づいて判定された前記行動に対応するように前記ユーザプロファイル内に前記クラスタの名前を格納する段階を含む、請求項１に記載の方法。
【請求項７】
前記第１アイテム及び前記第２アイテムを曜日及び時刻と相関付けるコンテキストデータに基づいて、前記ユーザの行動を判定する段階を更に含み、前記ユーザプロファイルを生成する前記段階が、前記曜日及び前記時刻に基づいて判定された前記行動に対応するように前記ユーザプロファイル内に前記クラスタの名前を格納する段階を含む、請求項１に記載の方法。
【請求項８】
前記第１アイテム及び前記第２アイテムを閾値持続時間よりも短い持続時間を有する時間期間と相関付けるコンテキストデータに基づいて、前記ユーザの異常フェーズを判定する段階を更に含み、前記ユーザプロファイルを生成する前記段階が、前記ユーザプロファイルから前記クラスタの名前を削除する段階を含む、請求項１に記載の方法。
【請求項９】
マシンの１又はそれ以上のプロセッサによって実行されたときに、前記マシンに動作を実行させる命令を含む非一時的マシン可読ストレージ媒体であって、
前記動作が、
第１アイテム及び第２アイテムを記述するメタデータ内のディスクリプタにアクセスする段階を含み、前記ディスクリプタ及びメタデータがメタデータモデルに対応するメタデータタイプを有し、該メタデータモデルが前記ディスクリプタを前記メタデータモデルの複数階層に編成し、前記ディスクリプタが前記第１アイテムの第１ディスクリプタ及び前記第２アイテムの第２ディスクリプタを含み、前記第１ディスクリプタ及び前記第２ディスクリプタが前記メタデータモデルの複数階層のうちの１つの階層に提示され、
前記動作が更に、
前記メタデータモデルにおいて前記第１ディスクリプタ及び前記第２ディスクリプタが内部に提示される前記階層に基づいて、前記第１ディスクリプタ及び前記第２ディスクリプタがディスクリプタのクラスタのメンバであると判定する段階を含み、前記判定する段階が前記マシンの１又はそれ以上のプロセッサによって実行され、
前記動作が更に、
前記第１ディスクリプタ及び前記第２ディスクリプタがメンバである前記ディスクリプタのクラスタに基づいてユーザプロファイルを生成する段階を含む、ことを特徴とする非一時的マシン可読ストレージ媒体。
【請求項１０】
前記第１ディスクリプタ及び前記第２ディスクリプタが内部に提示される前記階層が、前記メタデータモデルの複数階層のうちの更なる階層の更なる重みを超える重みを有することを前記メタデータモデルが示しており、
前記第１ディスクリプタ及び前記第２ディスクリプタが前記クラスタのメンバであると判定する前記段階が、前記階層の重みが前記更なる階層の更なる重みを超えることに基づいている、請求項９に記載の非一時的マシン可読ストレージ媒体。
【請求項１１】
システムであって、
第１アイテム及び第２アイテムを記述するメタデータ内のディスクリプタにアクセスするよう構成されたアクセスモジュールを備え、前記ディスクリプタ及びメタデータがメタデータモデルに対応するメタデータタイプを有し、該メタデータモデルが前記ディスクリプタを前記メタデータモデルの複数階層に編成し、前記ディスクリプタが、前記第１アイテムの第１ディスクリプタ及び前記第２アイテムの第２ディスクリプタを含み、前記第１ディスクリプタ及び前記第２ディスクリプタが、前記メタデータモデルの複数階層のうちの１つの階層に提示され、
前記システムが更に、
前記メタデータモデルにおいて前記第１ディスクリプタ及び前記第２ディスクリプタが内部に提示される前記階層に基づいて、前記第１ディスクリプタ及び前記第２ディスクリプタがディスクリプタのクラスタのメンバであると判定するようクラスタモジュールによって構成されたプロセッサと、
前記第１ディスクリプタ及び前記第２ディスクリプタがメンバである前記ディスクリプタのクラスタに基づいてユーザプロファイルを生成するよう構成されたプロファイルモジュールと、
を備える、システム。
【請求項１２】
前記第１ディスクリプタ及び前記第２ディスクリプタが内部に提示される前記階層が、前記メタデータモデルの複数階層のうちの更なる階層の更なる重みを超える重みを有することを前記メタデータモデルが示しており、前記クラスタモジュールが、前記階層の重みが前記更なる階層の更なる重みを超えることに基づいて、前記第１ディスクリプタ及び前記第２ディスクリプタが前記クラスタのメンバであると判定するよう前記プロセッサを構成する、請求項１１に記載のシステム。
【手続補正書】
【提出日】平成28年9月15日(2016.9.15)
【手続補正１】
【補正対象書類名】特許請求の範囲
【補正対象項目名】全文
【補正方法】変更
【補正の内容】
【特許請求の範囲】
【請求項１】
サーバにより、第１ユーザからコンテンツ関連付け要求を受信するステップであって、前記コンテンツ関連付け要求が、アクセスされた第１コンテンツの識別情報を含む、ステップと、
前記要求を受信したことに応答して、前記サーバにより、インデックス付き第２コンテンツの選択肢のリストを前記第１ユーザに送信するステップであって、前記リストが、前記第１コンテンツに関連する１つ以上のインデックス付き第２コンテンツを含む、ステップと、
前記サーバにより、前記第１ユーザから、前記第１コンテンツの識別情報と前記インデックス付き第２コンテンツの選択肢のリスト中の前記１つ以上のインデックス付き第２コンテンツのうちの１つのインデックス付き第２コンテンツのインデックス位置とを含んだコンテンツ関連付け入力を受信するステップと、
前記コンテンツ関連付け入力を受信したことに応答して、前記サーバにより、前記第１コンテンツと前記１つ以上のインデックス付き第２コンテンツのうちの前記１つのインデックス付き第２コンテンツとを、前記１つのインデックス付き第２コンテンツの前記インデックス位置で関連付けるステップと、
前記サーバにより、前記１つ以上のインデックス付き第２コンテンツのうちの前記１つのインデックス付き第２コンテンツに対する要求を第２ユーザから受信するステップと、
前記第２ユーザが前記１つ以上のインデックス付き第２コンテンツのうちの前記１つのインデックス付き第２コンテンツの前記インデックス位置を見ることに応答して、前記サーバにより、前記第１コンテンツについての情報を前記第２ユーザに提供するステップと
を有する方法。
【請求項２】
前記第１コンテンツについての情報を前記第２ユーザに提供する前記ステップが、
前記第１コンテンツへのリンクと、前記第１コンテンツについての記述と、前記第１コンテンツの一部分とのうちの少なくとも１つを前記第２ユーザに提供するステップを含む、請求項１に記載の方法。
【請求項３】
前記インデックス付き第２コンテンツの選択肢のリストが、検索ボックスに入力された検索テキストに基づいて取得される検索結果に従って決定される、請求項１に記載の方法。
【請求項４】
前記インデックス付き第２コンテンツの選択肢のリストを自動的に決定するステップをさらに有する、請求項１に記載の方法。
【請求項５】
前記インデックス付き第２コンテンツの選択肢のリストを見るための選択可能なオプションをユーザインタフェース内に提供するステップをさらに有する、請求項１に記載の方法。
【請求項６】
前記第１ユーザのユーザ履歴に示されるアクセスされたコンテンツに基づいて、前記インデックス付き第２コンテンツの選択肢のリストを決定するステップをさらに有する、請求項１に記載の方法。
【請求項７】
前記第１コンテンツが第２デバイスに表示されるのと同時に、第１デバイスにユーザインタフェースを提供するステップであって、前記ユーザインタフェースが、前記コンテンツ関連付け入力を送信するように動作する、ステップをさらに有する、請求項１に記載の方法。
【請求項８】
前記１つ以上のインデックス付き第２コンテンツのうちの前記１つのインデックス付き第２コンテンツが、動画コンテンツを含み、
前記動画コンテンツは、時間インデックとフレームインデックスとのうちの１つを有し、
前記１つ以上のインデックス付き第２コンテンツのうちの前記１つのインデックス付き第２コンテンツのインデックス位置は、前記動画コンテンツの時間又はフレームに対応する、請求項１に記載の方法。
【請求項９】
複数のユーザによるアクセスが可能なアプリケーションをホストする少なくとも１つのサーバを具備し、
前記少なくとも１つのサーバは、
前記複数のユーザのうちの第１ユーザからコンテンツ関連付け要求を受信する手順であって、前記コンテンツ関連付け要求が第１コンテンツの識別情報を含む、手順と、
前記要求を受信したことに応答して、インデックス付き第２コンテンツの選択肢のリストを前記第１ユーザに送信する手順であって、前記リストが、前記第１コンテンツに関連する１つ以上のインデックス付き第２コンテンツを含む、手順と、
前記第１ユーザから、前記第１コンテンツの識別情報と前記インデックス付き第２コンテンツの選択肢のリスト中の前記１つ以上のインデックス付き第２コンテンツのうちの１つのインデックス付き第２コンテンツのインデックス位置とを含んだコンテンツ関連付け入力を受信する手順と、
前記第１コンテンツと前記１つ以上のインデックス付き第２コンテンツのうちの前記１つのインデックス付き第２コンテンツとを、前記１つのインデックス付き第２コンテンツの前記インデックス位置で関連付ける手順と、
前記複数のユーザのうちの第２ユーザによる前記１つ以上のインデックス付き第２コンテンツのうちの前記１つのインデックス付き第２コンテンツへの前記インデックス位置でのアクセスに応答して、前記第１コンテンツに関連する情報を前記第２ユーザに提供する手順と
を実行するように動作する、システム。
【請求項１０】
前記少なくとも１つのサーバが、
リモートデバイスのユーザインタフェースを介してインデックス位置入力を受信する手順を実行するようにさらに動作する、請求項９に記載のシステム。
【請求項１１】
前記少なくとも１つのサーバに動作可能に接続されたコンテンツ提案サーバをさらに具備し、
前記コンテンツ提案サーバは、前記１つ以上の第２コンテンツを決定するように動作する、請求項９に記載のシステム。
【請求項１２】
前記コンテンツ提案サーバが、前記１つ以上の第２コンテンツのうちの１つの第２コンテンツとして前記インデックス付き第２コンテンツの選択肢のリストに加えるために最も適切な選択肢を決定するようにさらに動作する、請求項１１に記載のシステム。
【請求項１３】
前記コンテンツ提案サーバに動作可能に接続されたユーザプロファイルデータベースをさらに具備し、
前記コンテンツ提案サーバが、前記ユーザプロファイルデータベースに格納された前記第１ユーザのユーザ履歴に示されるアクセスされたコンテンツに基づいて、前記インデックス付き第２コンテンツの選択肢のリストを決定するようにさらに動作する、請求項１２に記載のシステム。
【請求項１４】
前記コンテンツ提案サーバが、
リモートデバイスで前記第１ユーザに表示される前記第１コンテンツを解析するように動作するマルチメディア解析モジュールと、
前記マルチメディア解析モジュールに動作可能に接続された動画資産マッチングモジュールと
を具備し、
前記動画資産マッチングモジュールは、前記第１コンテンツの解析結果を受信し、前記１つ以上の第２コンテンツの動画メタデータ、前記１つ以上の第２コンテンツのシーンメタデータ、及びユーザプロファイルにアクセスし、前記１つ以上の第２コンテンツのうちの少なくとも１つの提案する第２コンテンツを前記リモートデバイスに提供するように動作する、請求項１３に記載のシステム。
【手続補正書】
【提出日】平成27年11月13日(2015.11.13)
【手続補正１】
【補正対象書類名】特許請求の範囲
【補正対象項目名】全文
【補正方法】変更
【補正の内容】
【特許請求の範囲】
【請求項１】
無断撤去または盗難からタブレットコンピュータを保護するためのディスプレイスタンドであって、
タブレットコンピュータを少なくとも部分的に受容するように構成されたスリーブと、
前記スリーブ及び前記タブレットコンピュータを表示用の向きに取り外し可能に支持するように構成されたベースであって、前記スリーブと解除可能に係合するように構成されたロックを備え、ロック状態で前記ベースからの前記スリーブ及び前記タブレットコンピュータの取り外しを防止すべく前記スリーブと係合し、かつ、ロック解除状態で前記ベースからの前記スリーブ及び前記タブレットコンピュータの取り外しを可能にすべく前記スリーブを係合解除するように構成されたベースと、
を備え、
前記ロックが、前記スリーブ及び前記タブレットコンピュータを前記ベースからロック解除するための電子キーと通信するように構成された電子ロックである、ディスプレイスタンド。
【請求項２】
前記タブレットコンピュータは、前記ロック状態では、前記ベース上で複数の所定の表示の向きのうちの１つに選択的に配置されるように構成されている、請求項１に記載のディスプレイスタンド。
【請求項３】
前記スリーブが、相互に係合して前記タブレットコンピュータを固定するように構成された第１の部分及び第２の部分を備えた、請求項１または２に記載のディスプレイスタンド。
【請求項４】
前記タブレットコンピュータが両端部間に延在する両側部を備え、前記第１の部分及び前記第２の部分が、それぞれ、前記両側部と前記両端部の一方とを覆って囲むように構成された周側部及び周端部を備えた、請求項３に記載のディスプレイスタンド。
【請求項５】
前記スリーブが、前記ベースと解除可能に係合するように構成された係止ラグを備えた、請求項１または２に記載のディスプレイスタンド。
【請求項６】
前記ベースが、前記係止ラグを少なくとも部分的に受容するように構成された凹部を備えた、請求項５に記載のディスプレイスタンド。
【請求項７】
前記ベースが、前記係止ラグと解除可能に係合するように構成された少なくとも１つの係止スタッドを備えた、請求項５に記載のディスプレイスタンド。
【請求項８】
前記係止ラグが、前記少なくとも１つの係止スタッドが解除可能に係合するように構成された溝を備えた、請求項７に記載のディスプレイスタンド。
【請求項９】
前記少なくとも１つの係止スタッドが、機械的に付勢されて前記係止ラグと係合するように構成された、請求項７に記載のディスプレイスタンド。
【請求項１０】
前記電子ロックが、前記電子キーから前記電子ロックを動作させる電力を受信するように構成された、請求項１または２に記載のディスプレイスタンド。
【請求項１１】
前記電子ロックがセキュリティコードを含み、前記電子ロックが、前記電子キーから一致するセキュリティコードを受信したことに応答してロック解除するように構成された、請求項１または２に記載のディスプレイスタンド。
【請求項１２】
前記ベース内に配設された警報器ユニットをさらに備え、前記警報器ユニットが、前記スリーブ及び前記タブレットコンピュータが無断で前記ベースから取り外された場合に警報器を起動するように構成された、請求項１または２に記載のディスプレイスタンド。
【請求項１３】
前記警報器ユニットが、その作動又は非作動用の前記電子キーと通信するように構成された、請求項１２に記載のディスプレイスタンド。
【請求項１４】
前記ベースが、前記タブレットコンピュータの充電又は前記タブレットコンピュータへの給電を行う手段を備えた、請求項１または２に記載のディスプレイスタンド。
【請求項１５】
無断撤去又は盗難からタブレットコンピュータを保護するためのディスプレイスタンドであって、
タブレットコンピュータを少なくとも部分的に受容するように構成されたスリーブと、
前記スリーブと解除可能に係合するように構成されたベースと、
前記スリーブ及び前記タブレットコンピュータを前記ベースにロックして前記ベースからの前記スリーブ及び前記タブレットコンピュータの取り外しを防止するように構成されたロックと、
前記ロックを解除して前記ベースから前記スリーブ及び前記タブレットコンピュータを取り外し可能にする電力を伝送するように構成された電子キーと、
を備えた、ディスプレイスタンド。
【請求項１６】
無断撤去又は盗難からタブレットコンピュータを保護する方法であって、
スリーブ内にタブレットコンピュータを配置するステップと、
前記スリーブ及び前記タブレットコンピュータを前記ベースにロックして前記ベースからの前記スリーブ及び前記タブレットコンピュータの取り外しを防止するステップと、
前記タブレットコンピュータが前記ベースにロックされている間に、前記ベース上で、複数の所定の表示の向きのうちの１つに前記タブレットコンピュータを選択的に位置させるステップと、
前記ロックをキーで解除して前記ベースから前記スリーブ及び前記タブレットコンピュータを取り外し可能にするステップと、
を含む方法。
【請求項１７】
前記ベースは、前記スリーブの前記ベースからの取り外しを検出するように構成されたスイッチをさらに含む、請求項１に記載のディスプレイスタンド。
【請求項１８】
前記複数の表示の向きは、横方向と縦方向を含む、請求項１に記載のディスプレイスタンド。
【請求項１９】
前記スリーブは、前記ベースに対して軸周りに回転可能に構成されている、請求項１に記載のディスプレイスタンド。
【請求項２０】
前記タブレットコンピュータの前記複数の表示の向きのそれぞれが、前記軸に対して垂直に配置されている、請求項１９に記載のディスプレイスタンド。